【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
１つ以上の駆動源を備えた本体と、該本体上で前記駆動源により水平面内で回転される回転テーブルと、混合すべき材料を収容した容器の外底部を回転テーブル上に着脱可能に保持する保持手段と、前記駆動源により本体側で一定の角度範囲で揺動する揺動軸と、前記回転テーブル上に保持された容器内に一端部が位置するように他端部で揺動軸に着脱自在に取付けられた略逆Ｕ字の撹拌具とを備え、前記混合すべき材料を回転テーブルによる容器の回転と撹拌具の揺動との相対運動によって撹拌混合する混合装置において、
前記回転テーブルの回転速度を変更するテーブル回転速度変更手段と、前記揺動軸の揺動速度を変更する揺動速度変更手段とを備え、
前記テーブル回転速度変更手段は、前記回転テーブルの回転速度を予め定められた時間に応じて駆動・停止を繰り返し制御する制御手段を含み、
前記揺動速度変更手段は、前記揺動軸の揺動速度を予め定められた時間に応じて駆動・停止を繰り返し制御する制御手段を含むものであることを特徴とする混合装置。
【請求項２】
前記テーブル回転速度変更手段は、前記回転テーブルの回転速度を上限回転速度を下回る速度に制御する制御手段を含み、
前記揺動速度変更手段は、前記揺動軸の揺動速度を上限揺動速度を下回る速度に制御する制御手段を含むものであることを特徴とする請求項１に記載の混合装置。
【請求項３】
前記駆動源が前記本体に唯一備えられ、
前記テーブル回転速度変更手段及び前記揺動速度変更手段が前記１つの駆動源の回転速度を変更する駆動源回転速度変更手段であることを特徴とする請求項１又は２に記載の混合装置。
【請求項４】
前記駆動源回転速度変更手段は、前記駆動源の回転速度を予め定められた時間に応じて駆動・停止を繰り返す間欠駆動制御手段を含むものであることを特徴とする請求項３に記載の混合装置。
【請求項５】
前記間欠駆動制御手段が、前記揺動軸の揺動運動に連動した前記回転テーブルを２°〜１０°寸動させる寸動駆動を３〜１０秒毎に行う制御を含むことを特徴とする請求項４に記載の混合装置。
【請求項６】
前記間欠駆動制御手段が、前記揺動軸の揺動運動に連動した前記回転テーブルを上限回転速度を下回る速度で１０から２０回回転させる回転駆動を２〜８分毎に行う制御を含むことを特徴とする請求項４又は５に記載の混合装置。
【請求項７】
前記駆動源回転速度変更手段は、駆動開始時から予め定められた時間までの駆動源の回転速度を上限回転速度を下回る速度に制御する減速駆動制御手段を含むものであることを特徴とする請求項３に記載の混合装置。
【請求項８】
前記撹拌具として、前記混合すべき材料に応じて、パテ用撹拌具とでん粉系接着剤用撹拌具とが交換可能に配されることを特徴とする請求項１に記載の混合装置。
【請求項９】
前記撹拌具の一端部に、揺動によって混合すべき材料に流れを発生させる羽根を備え、
この羽根は、揺動の中心から遠い先端底部が前記撹拌具の揺動によって前記回転テーブルの略中心を通過する軌跡上を動くものであることを特徴とする請求項１又は８に記載の混合装置。
【請求項１０】
前記羽根には、揺動の際に混合すべき材料を溢流する切欠が上縁の一部に形成されていることを特徴とする請求項９に記載の混合装置。
【手続補正２】
【補正対象書類名】明細書
【補正対象項目名】０００１
【補正方法】変更
【補正の内容】
【０００１】
本発明は、内装工事、塗装工事等で下地調整を目的としたパテ施工のためのパテや、壁装材を貼着するためのでん粉系接着剤等を調整するための混合装置に関するものである。
【手続補正３】
【補正対象書類名】明細書
【補正対象項目名】０００２
【補正方法】変更
【補正の内容】
【０００２】
壁装材を貼着するためのでん粉系接着剤や下地調整を目的としたパテ等を調整するために、シャフト部の一端部が電気ドリルのチャック部に締め込み装着され、他端部の攪拌羽根を回動させて壁紙糊用攪拌棒が既に提案されている（例えば、特許文献１）。このような電動ドリルの回転軸に撹拌羽根を挿着した撹拌機をパテに使用すると、高速に回転するため、パテに空気が抱き込まれ、時間を経る毎に泡が増大し、得られたパテの付着強度が弱くなる欠点があった。
【手続補正４】
【補正対象書類名】明細書
【補正対象項目名】０００７
【補正方法】変更
【補正の内容】
【０００７】
また、前述の混合装置の被混合物は粉末状のパテだけでなく、ペースト状接着剤（以下、「ペースト状糊」と記す）を水で薄めて規定の濃度のでん粉系接着剤を調整する場合にも使用される。即ち、壁紙施工用接着剤であるペースト状糊は、水を加えて良く混合し、規定の濃度にして使用されるものである。例えば、ペースト状糊は濃度の濃いペースト状であり、業務上で使用するペースト状糊は１８ｋｇあり、希釈水が５０〜６０重量％であるため、総量が２７〜２９ｋｇにもなるため、特許文献１のような電動ドリルの回転軸に撹拌羽根を挿着した撹拌機で均一に調整するには大変な労力が必要であった。また、電気ドリルを利用した攪拌機で混合した場合には、糊にダメージを与え、糊自体の初期接着力が低いとの利用者による指摘もあった。
【手続補正５】
【補正対象書類名】明細書
【補正対象項目名】００１０
【補正方法】変更
【補正の内容】
【００１０】
請求項１に記載された発明に係る混合装置は、１つ以上の駆動源を備えた本体と、該本体上で前記駆動源により水平面内で回転される回転テーブルと、混合すべき材料を収容した容器の外底部を回転テーブル上に着脱可能に保持する保持手段と、前記駆動源により本体側で一定の角度範囲で揺動する揺動軸と、前記回転テーブル上に保持された容器内に一端部が位置するように他端部で揺動軸に着脱自在に取付けられた略逆Ｕ字の撹拌具とを備え、前記混合すべき材料を回転テーブルによる容器の回転と撹拌具の揺動との相対運動によって撹拌混合する混合装置において、
前記回転テーブルの回転速度を変更するテーブル回転速度変更手段と、前記揺動軸の揺動速度を変更する揺動速度変更手段とを備え、
前記テーブル回転速度変更手段は、前記回転テーブルの回転速度を予め定められた時間に応じて駆動・停止を繰り返し制御する制御手段を含み、
前記揺動速度変更手段は、前記揺動軸の揺動速度を予め定められた時間に応じて駆動・停止を繰り返し制御する制御手段を含むものであることを特徴とするものである。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
請求項２に記載された発明に係る混合装置は、請求項１に記載のテーブル回転速度変更手段は、前記回転テーブルの回転速度を上限回転速度を下回る速度に制御する制御手段を含み、
前記揺動速度変更手段は、前記揺動軸の揺動速度を上限揺動速度を下回る速度に制御する制御手段を含むものであることを特徴とするものである。
【手続補正８】
【補正対象書類名】明細書
【補正対象項目名】００１３
【補正方法】変更
【補正の内容】
【００１３】
請求項３に記載された発明に係る混合装置は、請求項１又は２に記載の駆動源が前記本体に唯一備えられ、
前記テーブル回転速度変更手段及び前記揺動速度変更手段が前記１つの駆動源の回転速度を変更する駆動源回転速度変更手段であることを特徴とするものである。
【手続補正９】
【補正対象書類名】明細書
【補正対象項目名】００１４
【補正方法】変更
【補正の内容】
【００１４】
請求項４に記載された発明に係る混合装置は、請求項３に記載の駆動源回転速度変更手段が、前記駆動源の回転速度を予め定められた時間に応じて駆動・停止を繰り返す間欠駆動制御手段を含むものであることを特徴とするものである。
【手続補正１０】
【補正対象書類名】明細書
【補正対象項目名】００１５
【補正方法】変更
【補正の内容】
【００１５】
請求項５に記載された発明に係る混合装置は、請求項４に記載の間欠駆動制御手段が、前記揺動軸の揺動運動に連動した前記回転テーブルを２°〜１０°寸動させる寸動駆動を３〜１０秒毎に行う制御を含むことを特徴とするものである。
【手続補正１１】
【補正対象書類名】明細書
【補正対象項目名】００１６
【補正方法】変更
【補正の内容】
【００１６】
請求項６に記載された発明に係る混合装置は、請求項４又は５に記載の間欠駆動制御手段が、前記揺動軸の揺動運動に連動した前記回転テーブルを上限回転速度を下回る速度で１０から２０回回転させる回転駆動を２〜８分毎に行う制御を含むことを特徴とするものである。
【手続補正１２】
【補正対象書類名】明細書
【補正対象項目名】００１７
【補正方法】変更
【補正の内容】
【００１７】
請求項７に記載された発明に係る混合装置は、請求項３に記載の駆動源回転速度変更手段が、駆動開始時から予め定められた時間までの駆動源の回転速度を上限回転速度の半分を下回る速度に制御する減速駆動制御手段を含むものであることを特徴とするものである。
【手続補正１３】
【補正対象書類名】明細書
【補正対象項目名】００１８
【補正方法】変更
【補正の内容】
【００１８】
請求項８に記載された発明に係る混合装置は、請求項１に記載の撹拌具として、前記混合すべき材料に応じて、パテ用撹拌具とでん粉系接着剤用撹拌具とが交換可能に配されることを特徴とするものである。
【手続補正１４】
【補正対象書類名】明細書
【補正対象項目名】００１９
【補正方法】変更
【補正の内容】
【００１９】
請求項９に記載された発明に係る混合装置は、請求項１又は８に記載の撹拌具の一端部に、揺動によって混合すべき材料に流れを発生させる羽根を備え、
この羽根は、揺動の中心から遠い先端底部が前記撹拌具の揺動によって前記回転テーブルの略中心を通過する軌跡上を動くものであることを特徴とするものである。
【手続補正１５】
【補正対象書類名】明細書
【補正対象項目名】００２０
【補正方法】変更
【補正の内容】
【００２０】
請求項１０に記載された発明に係る混合装置は、請求項９に記載の羽根には、揺動の際に混合すべき材料を溢流する切欠が上縁の一部に形成されていることを特徴とするものである。
【手続補正１６】
【補正対象書類名】明細書
【補正対象項目名】００２７
【補正方法】変更
【補正の内容】
【００２７】
また、この回転テーブルの回転速度及び揺動軸の揺動速度を予め定められた時間に応じて駆動・停止を繰り返し制御する場合には、撹拌混合されるパテやでん粉系接着剤等においては、確実に停止状態を維持することが好ましい。粘度の高いパテやでん粉系接着剤等ではその粘度のために、回転や揺動が完全に停止せず、先に進んだり、押し戻される状態がある。特に、押し戻される状態では停止から駆動を行う際に停止位置がずれているため、動き出し時にそのずれを相殺しようとして駆動源に大きな負荷がかかり駆動源の故障の原因となる虞があるためである。そのため、好ましくは回転テーブルの回転及び／又は揺動軸の揺動の停止時の戻りを規制する規制手段を備える。
【手続補正１７】
【補正対象書類名】明細書
【補正対象項目名】００２８
【補正方法】変更
【補正の内容】
【００２８】
更に、回転テーブルの回転と揺動軸の揺動とを比較すると、粘度の高いパテやでん粉系接着剤等の粘度のために押し戻される状態は揺動軸の揺動の方が大きく、より好ましくは回転テーブルの回転及び揺動軸の揺動の停止状態での戻りを各々規制する規制手段か、揺動軸の揺動の停止状態での戻りを規制する規制手段を備える。
【手続補正１８】
【補正対象書類名】明細書
【補正対象項目名】００３２
【補正方法】変更
【補正の内容】
【００３２】
即ち、本発明の混合装置において混合されるパテやでん粉系接着剤は、混合初期では水と粉末状のパテや水とペースト状糊が分離しているので、撹拌具の揺動運動によって内部の液体やペースト・粉体等の被混合物が容器の外に飛び出ることがあった。そのために、テーブル回転速度変更手段及び揺動速度変更手段によって、混合初期段階の回転テーブルの回転速度と揺動軸の揺動速度とを抑制して混合初期の段階での各々の速度を遅くすることにより、被混合物が容器外へ飛び出ることを防止することができる。
【手続補正１９】
【補正対象書類名】明細書
【補正対象項目名】００５０
【補正方法】変更
【補正の内容】
【００５０】
本発明の別の好ましい態様としては、撹拌具として、混合すべき材料に応じてパテ用撹拌具とでん粉系接着剤用撹拌具とが交換可能に配されるものである。即ち、混合すべき材料に応じて撹拌具を交換して使用する。パテにはパテ用の撹拌具を用い、糊用接着剤には糊用接着剤用の撹拌具を用いることにより、泡の混入がない混合物を調整することが可能となる。
【手続補正２０】
【補正対象書類名】明細書
【補正対象項目名】００５２
【補正方法】変更
【補正の内容】
【００５２】
回転テーブルと撹拌羽根との相対速度は被混合物に泡を抱き込まない速度であればよいが、糊用接着剤を調整する際には、可能であれば低速での撹拌の方が、粘着力の低下が少なく好ましい。これは、糊成分のでん粉粒子が剪断によって破壊され難いため、接着性能の低下を招かないためである。
【手続補正２１】
【補正対象書類名】明細書
【補正対象項目名】００６４
【補正方法】変更
【補正の内容】
【００６４】
クランクギア２５の回転軸２６と、モーター１１の駆動軸１６とにはワンウェイクラッチが装着されている。これは、粘度の高いパテやでん粉系接着剤等ではその粘度のために、間欠駆動時に回転や揺動が完全に停止せず、先に進んだり、押し戻される状態があるためであり、ワンウェイクラッチを装着することにより、間欠駆動時であっても確実に停止し押し戻されることがない。尚、間欠駆動時に確実に停止させるには、速度制御回路に停止時の駆動軸の挙動変位を電気的に検出しその変位データに基づいて挙動規制する制御プログラムを組み入れることで電気的に回転方向を規制することもでき、その場合には回転軸２６と駆動軸１６とのワンウェイクラッチの装着を排除することも可能である。
【手続補正２２】
【補正対象書類名】明細書
【補正対象項目名】００６７
【補正方法】変更
【補正の内容】
【００６７】
でん粉系接着剤の混合の際にはでん粉系接着剤用の撹拌具を用いることにより、仕上がりが向上する。図５は図１の混合装置に装着するでん粉系接着剤用撹拌具の構成を示す説明図である。
【手続補正２３】
【補正対象書類名】明細書
【補正対象項目名】００６８
【補正方法】変更
【補正の内容】
【００６８】
図５のｂ図に示す通り、糊用接着剤用撹拌具５１は正面から見るとクエスチョンマークのように曲折したパイプ材５６を備える。ａ図に示す通り、パイプ材５６の一端部に備わる撹拌ブレード５２は垂直な立て板部５３と、水平面に対して傾斜した傾斜板部５４とを備え、これら立て板部５３と傾斜板部５４とが、折曲面５５で連続して形成された外観を備える。この傾斜板部５４により、揺動運動によって底部から水面へ掻き回される流れが生じ、効率よくでん粉系接着剤を混合することができる効果を奏するものである。
【手続補正２４】
【補正対象書類名】明細書
【補正対象項目名】００７９
【補正方法】変更
【補正の内容】
【００７９】
３．糊用接着剤の特性（初期駆動モード；でん粉系接着剤の希釈性能）
本混合装置を用いて、初期駆動モードで、でん粉系接着剤の希釈液を調整した後、得られたでん粉系接着剤の希釈性能を検証した。用いたでん粉系接着剤は、商品名；ルーアマイルド（ヤヨイ化学工業社製）であり、初期駆動モード（２０回転／ｍｉｎを８０秒行い、３０回転／ｍｉｎを４０秒行い、３５回転／ｍｉｎを４０秒行い、４０回転／ｍｉｎを上限として残りの時間を駆動）で合計５分間撹拌混合を行った。でん粉系接着剤の希釈率は、５．５割希釈、６割希釈、７．５割希釈、１０割希釈とした。
【手続補正２５】
【補正対象書類名】明細書
【補正対象項目名】００８０
【補正方法】変更
【補正の内容】
【００８０】
比較として、『樹脂製  丸ギザ型撹拌羽根（商品名；マイトミル）（ヤヨイ化学工業社製）』を装着した電気ドリルでも同様のでん粉系接着剤を用いて同様の希釈率のでん粉系接着剤の希釈液を調整した。結果を次の表３に示す。
【手続補正２６】
【補正対象書類名】明細書
【補正対象項目名】００８１
【補正方法】変更
【補正の内容】
【００８１】
尚、比較試験項目は、(1) 粘度測定、(2) 接着力測定、(3) 目透き量測定である。粘度測定は、ＢＨ型粘度計にて、ぞれぞれの温度別粘度を測定した。また、低温放置（５℃）、サイクル放置（４０℃→５℃）した場合の粘度も測定した。接着力測定は、シナベニヤに調整したでん粉系接着剤を塗布し、綿布を貼り付けた後、常態接着力、耐湿接着力を測定した（接着剤塗布量：１３５ｇ／ｍ２ ）。目透き量測定は、石膏ボードを準備し、調整したでん粉系接着剤にて塩化ビニル壁紙（サンゲツ：ＳＰ９９１５）、ケナフ壁紙（東リ；ＷＥＮ３３５５）を貼り付け、それぞれの壁紙目透き量を測定した。
【手続補正２７】
【補正対象書類名】明細書
【補正対象項目名】００８４
【補正方法】変更
【補正の内容】
【００８４】
４．糊用接着剤の特性（でん粉系接着剤の経時変化）
本混合装置を用いて、３．と同様に、初期駆動モードで、でん粉系接着剤の希釈液を調整した後、得られたでん粉系接着剤のの拭き取り性能を検証した。用いたでん粉系接着剤は、３．と同様に、商品名；ルーアマイルド（ヤヨイ化学工業社製）であり、初期駆動モード（２０回転／ｍｉｎを８０秒行い、３０回転／ｍｉｎを４０秒行い、３５回転／ｍｉｎを４０秒行い、４０回転／ｍｉｎを上限として残りの時間を駆動）で合計５分間撹拌混合を行った。でん粉系接着剤の希釈率は、５．５割希釈とした。
【手続補正２８】
【補正対象書類名】明細書
【補正対象項目名】００８５
【補正方法】変更
【補正の内容】
【００８５】
比較として、３．と同様に、『樹脂製  丸ギザ型撹拌羽根（商品名；マイトミル）（ヤヨイ化学工業社製）』を装着した電気ドリルでも同様のでん粉系接着剤を用いて同様の希釈率のでん粉系接着剤の希釈液を調整した。
【手続補正２９】
【補正対象書類名】明細書
【補正対象項目名】００８７
【補正方法】変更
【補正の内容】
【００８７】
具体的には容器にでん粉系接着剤を４ｋｇ取り出し、５．５割希釈の水（２．２Ｌ）を更に投入し、本発明の混合装置の初期駆動モードで合計５分間混合した。また、電気ドリルに樹脂製丸ギザ型撹拌羽根を装着した撹拌機械にて５分間溶解し、粘度を測定しＴＩ値を更に求めた。結果を表４に示す。
【手続補正３０】
【補正対象書類名】明細書
【補正対象項目名】００８９
【補正方法】変更
【補正の内容】
【００８９】
５．糊用接着剤の特性（でん粉系接着剤の拭き取り性能試験）
４．で調整した糊液を量産塩化ビニル壁紙裏面へ、１３５ｇ／ｍ２ 塗布して１５分、３０分、６０分を放置した後、塩ビ板上へ貼リ付け、転写量を測定した。その後、固く絞った布ふきんを準備し、５ｋｇ分銅に巻き付けた。塩ビ板上へ、ふきん付き５ｋｇ分銅を、一定速度でずらした後、重量を測定し、拭き取り量を測定した。結果を次の表５、表６に示す。
【手続補正３１】
【補正対象書類名】明細書
【補正対象項目名】００９３
【補正方法】変更
【補正の内容】
【００９３】
【図１】本発明の混合装置の一実施例の平面からの構成を示す説明図である。
【図２】図１の正面からの構成を示す説明図である。
【図３】図１の駆動系の構成を示す説明図である。
【図４】図１の混合装置に装着するパテ用撹拌具の構成を示す説明図であり、ａ図は平面図、ｂ図は正面図である。
【図５】図１の混合装置に装着するでん粉系接着剤用撹拌具の構成を示す説明図であり、ａ図は平面図、ｂ図は正面図である。